(57)【特許請求の範囲】
【請求項１】
前面周縁に一体化されたフランジを有し、所定のパネルに形成された開口部に挿入されて取り付けられるケーシングと、
表示部と操作部とを有し、前記ケーシング内に収装される回路基板を含む内部機器を一体に連結した前面カバーとを備え、
前記前面カバーの後部には前記ケーシングの上部内側及び内底面に差込まれる上下１対の差込み片が設けられ、前記上部側差込み片の上面には、前記ケーシングの前部上面に開口された係止孔に係合される係止爪が突設され、前記下部側差込み片は前記前面カバーが遊嵌するように前記ケーシングの前部内底面との間に所定の隙間を有して設けられ、
前記前面カバーを上向き傾斜させ下方に落とし、さらに前記前面カバーを手前側に引く操作を加えることにより、前記下部側差し込み片が前記前面カバーの内底面と面接触することで前記係止爪を前記係止孔から完全離脱するようにしたことを特徴とするパネル計器。
【請求項２】
前記ケーシングのフランジと前記パネルの前面周縁との間及び前記ケーシング先端と前記前面カバーの背面との間に挟着されてそれぞれの周縁をシールするシール部材を備えたことを特徴とする請求項１記載のパネル計器。
【請求項３】
前記ケーシングの後端内側における上下隅近傍には、前記前面カバー嵌め付け時に当該前面カバーの後部両側面に設けた差込み用スロットに差込み接続された回路基板をガイドするガイド溝が形成されていることを特徴とする請求項１又は２記載のパネル計器。
【請求項４】
さらに、前記前面カバー前面側の下方に形成された凹部の内奥部に形成された取付孔と連通する挿通孔を有し、前記前面カバー後端側から延出して設けられるとともに、下側端部に所定角度を有する傾斜部が形成された凸部と、
後端側から開口側へ延出するように前記ケーシングの内底面に設けられ、前記前面カバーを前記ケーシングに嵌め付けたときに前記凸部の挿通孔と連通するねじ孔を有するねじ孔部と、
該ねじ孔部における端面前方に設けられ、前記凸部の挿通孔と前記ねじ孔部のねじ孔とが連通するように前記凸部の端面と前記ねじ孔部の端面とを面接触させるべく、前記前面カバーを前記ケーシングに嵌め付けるときに、前記凸部を前記ねじ孔部へガイドするための所定角度を有する傾斜部が形成された位置ガイド片とを備え、
前記前面カバーを前記ケーシングに嵌合したときに前記凸部の底面が前記ケーシングの内底面と面接触し、さらに前記前面カバーを押し込む操作を加えることにより、前記凸部の傾斜部が前記位置ガイド片の傾斜部と接触しながら摺動して前記凸部の端面が前記ねじ孔部の端面とが面接触するとともに、前記凸部の底面が前記位置ガイド片上に載置された状態で前記前面カバーが前記ケーシングに嵌め付けられることを特徴とする請求項１〜３の何れかに記載のパネル計器。
【発明の詳細な説明】
【技術分野】
【０００１】
本発明は、制御盤などのパネルに取り付けられ、温度などのプロセス量の制御を行うパネル計器において、特に必要に応じて計器内の内部機器を簡単に引出し収納できるパネル計器に関する。
【背景技術】
【０００２】
従来より、シーケンサや温度調節計などのパネル計器は、例えば温度、圧力、流量などの所定のパラメータを設定する操作部及び計測結果や機器の状態などを表示するための表示部をその前面カバーに備え、制御盤などのパネルに取付けられて使用される。この種のパネル計器においては、機器のケーシング内部に収納された回路基板などの内器の部品交換や、仕様変更に応じたＣＰＵの書換えなどの作業を簡単に行う必要上、前面カバーごと簡単にパネル及びケーシング前面から引出して、それらメンテナンス作業に供することが必要である反面、パネル取付状態においては、ケーシングのパネルに対する防水・防塵性、及びケーシングに対する前面カバーの防水・防塵性を確保する必要がある。
【０００３】
以上の課題は相反するものであり、前面カバーの分離し易さを念頭においた設計では防水・防塵性は二の次となり、防水・防塵性を念頭において前面カバーとケーシングの結合強度を高くした設計では、前面カバーが取り外しにくくなる。
【０００４】
この点において、下記特許文献１に示すように、計器筐体の前面縁部に全周に亘って密着貼付されて計器筐体の前面開口を封止するシートを備えたものが知られている。
【特許文献１】特開２００４−２５７９８８号公報
【発明の開示】
【発明が解決しようとする課題】
【０００５】
しかしながら、特許文献１における機器構造では、フランジの前面側に環状に設けられた凹部及びベゼルマスクに貼付されている表面シートをその前面から剥がし、回路基板を把持しているベゼルマスクを該回路基板ごと前面に引き出さなければならないため、メンテナンスの際に表面シートの着脱が必要となるため、メンテナンス作業が煩雑であるとともに、粘着部材やシートの交換在庫なども用意する必要があった。
【０００６】
そこで、本発明は、上記課題を解決するためになされたものであって、ケーシングと前面カバーの連結時においては防水・防塵性を確保するとともに、簡単な操作によって前面カバーを内器とともに引出せるようにしたパネル計器を提供するものである。
【課題を解決するための手段】
【０００７】
上記目的を達成するために、請求項１記載のパネル計器は、前面周縁に一体化されたフランジを有し、所定のパネルに形成された開口部に挿入されて取り付けられるケーシングと、
表示部と操作部とを有し、前記ケーシング内に収装される回路基板を含む内部機器を一体に連結した前面カバーとを備え、
前記前面カバーの後部には前記ケーシングの上部内側及び内底面に差込まれる上下１対の差込み片が設けられ、前記上部側差込み片の上面には、前記ケーシングの前部上面に開口された係止孔に係合される係止爪が突設され、前記下部側差込み片は前記前面カバーが遊嵌するように前記ケーシングの前部内底面との間に所定の隙間を有して設けられ、
前記前面カバーを上向き傾斜させ下方に落とし、さらに前記前面カバーを手前側に引く操作を加えることにより、前記下部側差し込み片が前記前面カバーの内底面と面接触することで前記係止爪を前記係止孔から完全離脱するようにしたことを特徴としている。
【０００８】
請求項２記載のパネル計器は、請求項１記載のパネル計器において、前記ケーシングのフランジと前記パネルの前面周縁との間及び前記ケーシング先端と前記前面カバーの背面との間に挟着されてそれぞれの周縁をシールするシール部材を備えたことを特徴としている。
【０００９】
請求項３記載のパネル計器は、請求項１又は２記載のパネル計器において、前記ケーシングの後端内側における上下隅近傍には、前記前面カバー嵌め付け時に当該前面カバーの後部両側面に設けた差込み用スロットに差込み接続された回路基板をガイドするガイド溝が形成されていることを特徴としている。
【００１０】
請求項４記載のパネル計器は、請求項１〜３の何れかに記載のパネル計器において、さらに、前記前面カバー前面側の下方に形成された凹部の内奥部に形成された取付孔と連通する挿通孔を有し、前記前面カバー後端側から延出して設けられるとともに、下側端部に所定角度を有する傾斜部が形成された凸部と、
後端側から開口側へ延出するように前記ケーシングの内底面に設けられ、前記前面カバーを前記ケーシングに嵌め付けたときに前記凸部の挿通孔と連通するねじ孔を有するねじ孔部と、
該ねじ孔部における端面前方に設けられ、前記凸部の挿通孔と前記ねじ孔部のねじ孔とが連通するように前記凸部の端面と前記ねじ孔部の端面とを面接触させるべく、前記前面カバーを前記ケーシングに嵌め付けるときに、前記凸部を前記ねじ孔部へガイドするための所定角度を有する傾斜部が形成された位置ガイド片とを備え、
前記前面カバーを前記ケーシングに嵌合したときに前記凸部の底面が前記ケーシングの内底面と面接触し、さらに前記前面カバーを押し込む操作を加えることにより、前記凸部の傾斜部が前記位置ガイド片の傾斜部と接触しながら摺動して前記凸部の端面が前記ねじ孔部の端面とが面接触するとともに、前記凸部の底面が前記位置ガイド片上に載置された状態で前記前面カバーが前記ケーシングに嵌め付けられることを特徴とする。
【発明の効果】
【００１１】
本発明のパネル計器によれば、内器をケーシング内から引出す際には、前面カバーを上向き傾斜させ、さらに前面カバーを手前側に引く操作で、前面カバー及びこれに連結した回路基板などの内部機器をケーシングから簡単に引き出すことができる。また、所定のパネルとケーシングとの間及びケーシングと前面カバーとの間がシール部材を介して強固に結合しているため、防水・防塵性を十分に確保できる。
【００１２】
また、前面カバーを上向き傾斜させ、さらに前面カバーを手前側に引く操作により前面カバーの引出しが可能となるため、前面カバーの固定手段として使用しているビス除去のみでは引出し不能な状態が保たれ、不時に引抜かれることによる落下などの事故を未然に防止する効果を奏する。
【発明を実施するための最良の形態】
【００１３】
以下、本発明の実施の形態を添付図面を参照して詳細に説明する。図１、３、４は本発明に係るパネル計器を示す斜視図、図２は同パネル計器をパネルに固定した状態を示す断面図、図５（ａ）〜（ｃ）は同パネル計器における前面カバーの嵌め付け時の説明図、図６（ａ）〜（ｅ）は同パネル計器における前面カバーをケーシングから取外す際の操作手順を説明するための断面説明図である。
【００１４】
まず、本例のパネル計器の構成について、図１〜５を参照しながら説明する。各図において、パネル計器１は、前面開口した直方体状のケーシング２と、ケーシング２の前面開口に取付けられた前面カバー３を備え、ケーシング２の前面周縁に一体化されたフランジ２ａ及び前面カバー３の後部周縁を、制御盤などのパネル４に形成された矩形状開口４ａにシール部材５を介して嵌め付け固定されている。
【００１５】
シール部材５は、防水性に優れたゴム、合成樹脂材料から構成される矩形枠状の成形体であり、ケーシング２とパネル４との間に対する防水・防塵性確保と、前面カバー３とケーシング２との間に対する防水・防塵性とを共用するものであり、図２のＡ部を拡大して示すように、前記フランジ２ａに嵌合される凹状断面であり、その後面をパネル４の開口４ａの周縁に、前面をケーシング２の先端と前面カバー３の背面との間に狭着されてそれぞれの周縁をシール封止するものである。
【００１６】
ケーシング２の外周部には、多数の放熱孔２ｂが開口されている。また、ケーシング２の後端内側には接続用の基板が、背面には、各種外部センサ及び被制御用の外部機器類のリード線に接続するねじ端子部（いずれも図略）がそれぞれが設けられている。さらに、図示すように、ケーシング２の後端内側における上下隅近傍には、前面カバー３に装着される後述する回路基板１５を、前面カバー３の嵌め付け時にガイドするガイド溝２ｃが形成されている。
【００１７】
前面カバー３のほぼ中央部は開口され、この開口部３ａの背面には保護シート６ａを介してＬＣＤなどの薄形表示部６が嵌め付け固定されている。また、前面カバー３における表示部６の下方には横長の凹部３ｂが形成されており、この凹部３ｂには、操作部を構成する横長長方形のスイッチボックス７が前面カバー３の下縁に形成されたヒンジ７ａを介して前方に傾動可能に嵌め付けられている。
【００１８】
スイッチボックス７の前面には、図１に示すように、カーソルキー８、並びに各種操作キー９が配列され、さらにスイッチボックス７の上部中央には操作摘み１０が突設されている。スイッチボックス７は、図３、４に示すように、操作摘み１０を手前側に引くことにより、ヒンジ７ａを基点に下方に回動し、凹部３ｂを覗くことができる構成である。
なお、図中符号１１は、スイッチボックス７と後述する回路基板１５とを接続するフレキシブルフラットケーブルである。
【００１９】
前記凹部３ｂの内奥部には、図３、４に示すように、ケーシング２の前面内底部側に形成されたねじ孔部２ｅ（図５を参照）に連通する左右一対の取付孔３ｃが開口され、この取付孔３ｃを通じて固定手段であるビスＢをねじ込むことによって前面カバー３をケーシング２の前面に強固に固定し、図３に図示するごとく、ビスＢを取外すことによって、前面カバー３をケーシングから引抜くことが可能となっている。
【００２０】
前面カバー３の後端側には、図５に示すように、ビスＢがねじ込まれる取付孔３ｃと連通する挿通孔３ｄが略中心部分に形成された凸部３ｅが延出して形成されている。すなわち、前面カバー３を嵌め付けたときに、凸部３ｅの端面とねじ孔部２ｅの端面とが面接触することで、凸部３ｅの挿通孔３ｄとねじ孔部２ｅのねじ孔２ｆとが連通した状態となり、ビスＢをねじ孔２ｆに螺合することで前面カバーがケーシング２に固定される。また、凸部３ｅにおける下側端部には、後述する位置ガイド片２ｇの傾斜部２ｈと接触して前面カバー３の嵌め付けをスムーズに行うための傾斜部３ｆが、所定角度を有して形成されている。
【００２１】
ねじ孔部２ｅにおける端面前方には、前面カバー３を嵌め付けたときに凸部３ｅの底面が載置されるとともに、ねじ孔部２ｅのねじ孔２ｆの中心と凸部３ｅの挿通孔３ｄの中心とを一致させるための位置ガイド片２ｇが前面開口側に延出して形成されている。この位置ガイド片２ｇの前方には、前面カバー３の嵌め付け時に凸部３ｅの傾斜部３ｆと接触してその嵌め付けをガイドするための傾斜部２ｈが、所定角度（傾斜部３ｆと略同等の角度）を有して形成されている。
【００２２】
前面カバー３を嵌め付ける場合、まず、図５（ａ）に示すように、凸部３ｅの底面がケーシング２の内底面と面接触するように前面カバー３をケーシング２に嵌合し、次に図５（ｂ）に示すように、前面カバー３を上向き傾斜させた状態を保ったまま、やや押し込むことで凸部３ｅの傾斜部３ｆとねじ孔部２ｅの傾斜部２ｈとが接触する。そして、図５（ｃ）に示すように、前面カバー３をさらに押し込むことにより、凸部３ｅの傾斜部３ｆが位置ガイド片２ｆの傾斜部２ｈと接触しながら摺動して、凸部３ｅの底面が位置ガイド片２ｇ上に載置された状態となる。
【００２３】
前面カバー３の後部上下には、ケーシング２の上下面に挿通される差込み片１２、１３が一体に延設され、また、両側部には各差込み片１２、１３に連続するように、差込み片兼用の側部スロット１４が一体に設けられ、この各スロット１４の内側に内器を構成する複数の回路基板１５の先端部が差し込まれている。そして、前面カバー３に差し込まれた回路基板１５と、前面カバー３にある表示部６、カーソルキー８、操作キー９とをフレキシブルフラットケーブル１１などの接続部品を用いて電気的に接続している。また、上部側差し込み片１２の両端側の所定箇所には、回路基板１５を差し込み片１２に装着する際に、回路基板１５の係合片１５ａが遊嵌するための係合溝１２ａが形成されている。この係合溝１２ａに回路基板１５が遊嵌されているため、前面カバー３を取り外す際に、回路基板１５が摺動可能となるため、取り外し作業をスムーズに行うことができる。
【００２４】
上部側差込み片１２の上面には、左右一対の係止爪１６が突設されている。これに対応してケーシング２の前部上面には、左右一対の係止孔２ｄが開口され、前面カバー３の取付状態では、図２のＢ部に拡大し示すように係止爪１６が係止孔２ｄに係合されて、閉止状態を保っており、各回路基板１５は前部側の表示部６並びにスイッチボックス７に電気的に接続される。また、下部側差込み片１３は、係止孔２ｄから係止爪１６を外して前面カバー３を引き出す際に、前面カバー３がケーシング２に対して遊嵌した状態となるよう、ケーシング２の前部内底面との間に所定の隙間１３ａを空けて形成されている。
【００２５】
次に、上述した構成のパネル計器における前面カバー３をケーシング２から取外す際の操作手順について、図６（ａ）〜（ｅ）を参照しながら説明する。
【００２６】
まず、（ａ）においては、図２と同じく前面カバー３がパネル４の前面に位置した状態でケーシング２とともにパネル４に固定されている。この状態から（ｂ）に示すようにスイッチボックス７を手前側に倒し、ドライバなどによりビスＢを抜取れば、前面カバー３は回路基板１５ごと引抜き可能であるが、この段階では、係止爪１６が係止孔２ｄに係止したままであるため、引抜き不能な姿勢に保持されている。
【００２７】
そこで、（ｃ）に示すごとく、前面カバー３を手で手前に引きながらやや持上げる（図中矢印ａ方向）ことにより、前面カバー３は上向き傾斜させ、次に前面カバー３を下方（図中矢印ｂ方向）へ下げた後、やや手前側に引くと（図中矢印ｃ方向）、（ｄ）に示すごとく、隙間１３ａが無くなるように下部側差し込み片１３がケーシング２の内底面と面接触してケーシング２内底面に対する設置高さが低くなるため、係止爪１６は係止孔２ｄから完全に外され、完全に引抜き可能となる。その後は、（ｅ）及び図４に示すように、そのままの姿勢で回路基板１５ごと引出すことができることになる。
【００２８】
すなわち、ビスＢの抜取り後は、一旦人為的な操作を加えて係止爪１６を係止孔２ｄから取外さない限りは、内部機器の引抜き動作ができないため、例えば前傾したパネル４にパネル計器１を取付けているなどにおいても、ビスＢの撤去後に自然抜き出し動作がないないため、落下事故なども未然に防止されることになる。
【００２９】
その後は回路基板１５の交換や、回路基板１５に実装されるＣＰＵの書換えなどの作業後は、前記とは逆の手順で回路基板１５とともに前面カバー３を取付ければ、内器のメンテナンス作業を終了する。
【００３０】
このように、上述したパネル計器１は、前面カバー３の後部にはケーシング２の上部内側及び内底面に差込まれる上下１対の差込み片が設けられ、上部側差込み片１２の上面には、ケーシング２の前部上面に開口された係止孔２ｄに係合される係止爪１６が突設され、下部側差込み片１３は前面カバー３が遊嵌するようにケーシング２の前部内底面との間に所定の隙間１３ａを有して設けられ、前面カバー３を上向き傾斜させ、さらに前面カバー３を手前側に引く操作を加えることにより、下部側差し込み片１３が前面カバー３の内底面と面接触することで係止爪１６を係止孔２ｄから完全離脱する構成である。
これにより、内器のメンテナンス時に、前面カバー３及びこれに連結した回路基板１５などの内器をケーシングから簡単に引き出すことができる。
【００３１】
また、前面カバー３を上向き傾斜させ、さらに前面カバー３を手前側に引く操作により前面カバー３の引出しが可能となるため、前面カバー３の固定手段として使用しているビスＢの除去のみでは引出し不能な状態が保たれ、不意に引抜かれることによる落下などの事故を未然に防ぐことができる。
【００３２】
ところで、上述した形態では、パネル４に対するケーシング２の固定方法については、説明を省略したが、例えば、フランジ２ａの直後に係止爪などを突設しておき、ケーシング２をパネル４の開口部に嵌合した状態でこの係止爪によりフランジ２ａとの間でパネル４を狭着することができる他、各種専用の取付金具などによって固定することもできる。
【００３３】
また、前面カバー３は、固定手段としてビスＢを用いてケーシング２に螺設される構成で説明したが、パネル４に計器を設置後、前面カバー３がケーシング２に固定した状態で装着される構成であれば、固定手段は特に限定されない。
【図面の簡単な説明】
【００３４】
【図１】本発明に係るパネル計器のケーシングに前面カバーを取付けた状態を示す斜視図である。
【図２】同計器をパネルに固定した状態を示す一部拡大部分を含む後部省略の断面図である。
【図３】同ケーシングに前面カバーを固定するためのねじを取外した状態を示す斜視図である。
【図４】同ケーシングから前面カバーを回路基板ごと引出した状態を示す斜視図である。
【図５】（ａ）〜（ｃ）  同パネル計器における前面カバーの嵌め付け時の説明図である。
【図６】（ａ）〜（ｅ）  同パネル計器における前面カバーをケーシングから取外す際の操作手順を説明するための断面説明図である。
【符号の説明】
【００３５】
１  パネル計器
２  ケーシング
２ａ  フランジ
２ｂ  放熱孔
２ｃ  ガイド溝
２ｄ  係止孔
２ｅ  ねじ穴部
２ｆ  ねじ孔
２ｇ  位置ガイド片
２ｈ  傾斜部
３  前面カバー
３ａ  開口部
３ｂ  凹部
３ｃ  取付孔
３ｄ  挿通孔
３ｅ  凸部
３ｆ  傾斜部
４  パネル
４ａ  開口
５  シール部材
６  表示部
６ａ  保護シート
７  スイッチボックス（操作部）
７ａ  ヒンジ部
８  カーソルキー
９  操作キー
１０  操作用摘み
１１  フレキシブルフラットケーブル
１２  上部差込み片
１３  下部差込み片
１４  側部スロット
１５  回路基板
１５ａ  係合片
１６  係止爪
【図１】
0005133754.tif 000002
【図２】
0005133754.tif 000003
【図３】
0005133754.tif 000004
【図４】
0005133754.tif 000005
【図５】
0005133754.tif 000006
【図６】
0005133754.tif 000007